(57)【要約】【課題】  複数系列の高度処理プロセスを有する下水処理場において、曝気にかかる運転コストを低減すると共に、初期コスト及び維持管理コストを低く抑えることのできる下水処理場の曝気風量制御装置を提供する。【解決手段】  処理水のアンモニア性窒素濃度目標値を設定する第１の目標値設定手段４１と、アンモニア計が設置されている系列の好気槽の溶存酸素濃度計による溶存酸素濃度計測値に基づいて、アンモニア計が設置されていない他の系列の好気槽の溶存酸素濃度目標値をそれぞれ設定する第２の目標値設定手段１３２，２３２と、アンモニア計が設置されている好気槽の曝気装置を、アンモニア性窒素濃度の計測値をアンモニア性窒素濃度目標値に近づける曝気風量目標値を演算し、アンモニア計が設置されていない好気槽の曝気装置を、それぞれ溶存酸素濃度の計測値を溶存酸素濃度目標値に近づける曝気風量目標値を演算するコントローラ４０，１３０，２３０とを備える。【選択図】  図２
2005199115.tif 000002
【特許請求の範囲】
【請求項１】
それぞれ曝気風量目標値に従って動作する曝気装置を有する好気槽を含み、同じ処理方式の複数系列の下水処理プロセスを備える下水処理場の曝気風量制御装置において、
全ての系列に流入する下水の流量が等しくなるように制御する流量制御手段と、
複数系列のうち、いずれか１つの系列の前記好気槽のアンモニア性窒素濃度を計測するアンモニア計と、
複数系列の全ての系列の前記好気槽の溶存酸素濃度を計測する溶存酸素濃度計と、
処理水のアンモニア性窒素濃度目標値を設定する第１の目標値設定手段と、
アンモニア計が設置されている系列の前記好気槽の溶存酸素濃度計による溶存酸素濃度計測値に基づいて、アンモニア計が設置されていない他の系列の前記好気槽の溶存酸素濃度目標値をそれぞれ設定する第２の目標値設定手段と、
アンモニア計が設置されている前記好気槽の曝気装置を、アンモニア性窒素濃度の計測値をアンモニア性窒素濃度目標値に近づける曝気風量目標値を演算し、アンモニア計が設置されていない前記好気槽の曝気装置を、それぞれ溶存酸素濃度の計測値を溶存酸素濃度目標値に近づける曝気風量目標値を演算するコントローラと、
を備えたことを特徴とする下水処理場の曝気風量制御装置。
【請求項２】
それぞれ曝気風量目標値に従って動作する曝気装置を有する好気槽を含み、同じ処理方式の複数系列の下水処理プロセスを備える下水処理場の曝気風量制御装置において、
全ての系列に流入する下水の流量が等しくなるように制御する流量制御手段と、
複数系列のうち、いずれか１つの系列の前記好気槽のアンモニア性窒素濃度を計測するアンモニア計と、
処理水のアンモニア性窒素濃度目標値を設定する目標値設定手段と、
各系列毎に前記曝気装置の散気効率を入力する散気効率入力手段と
それぞれ入力された散気効率に基づいて、アンモニア計が設置されている系列の前記好気槽の曝気装置に対する、他の系列の前記好気槽の曝気装置それぞれの散気効率比を求める散気効率比演算手段と、
アンモニア計が設置されている前記好気槽の曝気装置を、アンモニア性窒素濃度の計測値をアンモニア性窒素濃度目標値に近づける曝気風量目標値を演算するコントローラと、
前記コントローラで演算された曝気風量目標値に、散気効率比を乗算してアンモニア計が設置されていない前記好気槽の曝気装置の曝気風量目標値を演算する曝気風量演算手段と、
を備えたことを特徴とする下水処理場の曝気風量制御装置。
【請求項３】
それぞれ曝気風量目標値に従って動作する曝気装置を有する好気槽を含み、同じ処理方式の複数系列の下水処理プロセスを備える下水処理場の曝気風量制御装置において、
系列毎に流入する下水の流量を計測する流入流量計と、
複数系列のうち、いずれか１つの系列の前記好気槽のアンモニア性窒素濃度を計測するアンモニア計と、
処理水のアンモニア性窒素濃度目標値を設定する目標値設定手段と、
系列毎に前記曝気装置の散気効率を入力する散気効率入力手段と
それぞれ入力された散気効率に基づいて、アンモニア計が設置されている１つの系列の前記好気槽の曝気装置に対する、他の系列の前記好気槽の曝気装置それぞれの散気効率比を求める散気効率比演算手段と、
アンモニア計が設置されている前記好気槽の曝気装置を、アンモニア性窒素濃度の計測値をアンモニア性窒素濃度目標値に近づける曝気風量目標値を演算するコントローラと、
アンモニア計が設置されている前記好気槽を含む系列に流入する下水の流量と前記曝気装置の曝気風量から当該系列の空気倍率を演算する空気倍率演算手段と、
前記コントローラで演算された曝気風量目標値に空気倍率を乗算し、この乗算して得られた曝気風量目標値、入力された散気効率に散気効率比を乗算した値、及び、流入する下水の流量計測値に基づいて、アンモニア計が設置されていない前記好気槽の曝気装置の曝気風量目標値を演算する曝気風量演算手段と、
を備えたことを特徴とする下水処理場の曝気風量制御装置。
【請求項４】
下水処理場に流入する下水の全流入量を計測する流入流量計と、
流入下水の全窒素濃度を計測する全窒素計と、
を備え、それぞれ計測された下水の全流入量及び全窒素濃度の両方もしくは、いずれか一方に基づいて、前記第１の目標値設定手段又は目標値設定手段が処理水のアンモニア性窒素濃度目標値を設定することを特徴とする請求項１乃至３のいずれか１項に記載の下水処理場の曝気風量制御装置。
【請求項５】
すべての系列の溶存酸素濃度をそれぞれ計測する溶存酸素濃度計と、
溶存酸素濃度の上下限値を設定し、計測された各系列の溶存酸素濃度が上下限値を逸脱しないよう曝気風量を制御するリミッタ装置と、
を備えたことを特徴とする請求項１乃至４のいずれか１項に記載の下水処理場の曝気風量制御装置。
【発明の詳細な説明】
【技術分野】
【０００１】
本発明は、それぞれ曝気装置を有する好気槽を含み、同じ処理方式の複数系列の下水処理プロセスを備える下水処理場の曝気風量制御装置に関する。
【背景技術】
【０００２】
従来の下水処理場では、活性汚泥法と呼ばれるプロセスにより主に有機物除去を行っていたが、近年、湖沼、湾などの閉鎖性水域で富栄養化が進行してきていることから、有機物除去のみならず富栄養化の原因物質である窒素、リンをも除去するような下水高度処理の要求が増大してきている。
【０００３】
図１０はこの種の下水処理場の処理系統図であり、図１１はこの下水処理場に適用される従来の曝気風量制御装置の計測器の配置を、処理系統と併せて示した系統図である。図１０に示した下水処理場は系列１、系列２及び系列３の３つの処理系統からなっている。そして、水配管５０より送り込まれた下水がそれぞれ１号流入ポンプ１、２号流入ポンプ１０１及び３号流入ポンプ２０１によって各系列に圧送される。系列１、系列２及び系列３は同一に構成されているため、系列１についてのみ、その詳細な構成を説明することとする。
【０００４】
１号流入ポンプ１から送り込まれた下水は１号最初沈殿地２に流入し、ここで懸濁物を沈降させる。１号最初沈殿地２の流出側が水配管５１によって１号嫌気槽１０の流入側に結合されている。この１号嫌気槽１０には１号無酸素槽１１及び１号好気槽１２が順次に連結されている。そして、１号好気槽１２の流出側が水配管５２によって１号最終沈殿地１３の流入側に結合されており、この１号最終沈殿地１３の流出側には処理水を送り出す水配管６０が結合されている。また、１号好気槽１２の循環水取出口に水配管５３が結合され、この水配管５３を介して、１号循環ポンプ１４が１号無酸素槽１１に循環水を供給するようになっている。また、１号最終沈殿地１３に水配管５４及び水配管５５が結合され、このうち、水配管５４を介して１号返送ポンプ１５が１号最終沈殿地１３の処理水の一部を１号嫌気槽１０に返送し、水配管５５を介して、１号余剰ポンプ１７が汚泥を排出するようになっている。さらに、１号最初沈殿地２に１号初沈引抜ポンプ１８が結合され、この１号初沈引抜ポンプ１８は１号最初沈殿地２に沈殿した汚泥を、水配管５８を介して、１号余剰ポンプ１７の汚泥と一緒に排出する。
【０００５】
図１１に示すように、１号好気槽１２は１号曝気装置９を備えており、これに制御のための１号溶存酸素濃度計２５が設置されている。そして、詳細な構成説明を省略した系列２の２号好気槽（図示せず）に２号溶存酸素濃度計１２５が、系列３の３号好気槽（図示せず）に３号溶存酸素濃度計２２５がそれぞれ設置されている。なお、図１０中、嫌気槽、無酸素槽及び好気槽を備えるプロセスが、一般にＡ２０プロセスと呼ばれている。
【０００６】
図１２は系列１〜３の曝気装置９を制御する従来の曝気量制御装置の構成を示すブロック図であり、系列１の１号好気槽１２の溶存酸素濃度（以下、ＤＯともいう）の目標値を設定する１号制御目標値設定器３１と、系列２の２号好気槽の溶存酸素濃度目標値を設定する２号制御目標値設定器１３１と、系列３の３号好気槽の溶存酸素濃度目標値を設定する３号制御目標値設定器２３１とを備え、さらに、１号溶存酸素濃度計２５による溶存酸素濃度の計測値が１号制御目標値設定器３１の溶存酸素目標値に追随するように１号曝気装置９の曝気風量目標値を演算する１号ＤＯコントローラ３０と、２号溶存酸素濃度計１２５による溶存酸素濃度の計測値が２号制御目標値設定器１３１の制御目標値に追随するように２号曝気装置１０９の曝気風量目標値を演算する２号ＤＯコントローラ１３０と、３号溶存酸素濃度計２２５による溶存酸素濃度の計測値が３号制御目標値設定器２３１の制御目標値に追随するように３号曝気装置２０９の曝気風量目標値を演算する３号ＤＯコントローラ２３０とが１組のコントローラを構成している。
【０００７】
図１１及び図１２は図１０に示した下水処理場において、溶存酸素濃度を制御する場合の溶存酸素濃度計の設置位置及び曝気装置の制御を示したが、溶存酸素濃度を制御する代わりにアンモニア性窒素濃度を制御することもできる。図１３はこの場合のアンモニア計の設置状態を示したもので、図中、図１１と同一の要素には同一の符号を付してその説明を省略する。この場合、１号好気槽１２に１号アンモニア計２６が設置され、詳細な構成説明を省略した系列２の２号好気槽（図示せず）に２号アンモニア計１２６が、系列３の３号好気槽（図示せず）に３号アンモニア計２２６がそれぞれ設置されている。
【０００８】
図１４は系列１〜３の曝気装置９を制御する曝気量制御装置の構成を示すブロック図であり、系列１の１号好気槽１２のアンモニア性窒素濃度の目標値を設定する１号制御目標値設定器４１と、系列２の２号好気槽のアンモニア性窒素濃度目標値を設定する２号制御目標値設定器１４１と、系列３の３号好気槽のアンモニア性窒素濃度目標値を設定する３号制御目標値設定器２４１とを備え、さらに、１号アンモニア計２６によるアンモニア性窒素濃度の計測値が１号制御目標値設定器４１のアンモニア性窒素濃度目標値に追随するように１号曝気装置９の曝気量を制御する１号アンモニアコントローラ４０と、２号アンモニア計１２６によるアンモニア性窒素濃度の計測値が２号アンモニア計１２６の制御目標値に追随するように２号曝気装置１０９の曝気量を制御する２号アンモニアコントローラ１４０と、３号アンモニア計２２６による溶存酸素濃度の計測値が３号制御目標値設定器２４１の制御目標値に追随するように３号曝気装置２０９を制御する３号アンモニアコントローラ２４０とが１組のコントローラを構成している。
【０００９】
ここで、系列１、系列２及び系列３の各汚水処理は同じであるので、系列１での処理について説明することとする。１号流入ポンプ１によって供給された下水は１号最初沈殿地２にて汚泥の一部を沈降させ、沈降した汚泥は１号初沈引抜ポンプ１８によって、水配管５８を介して、最終の汚泥排出系統に送出される。１号嫌気槽１０、１号無酸素槽１１及び１号好気槽１２は有機物、窒素及びリンを同時に除去する代表的な嫌気−無酸素−好気プロセス（Ａ２０プロセス）のプロセスである。以下、このプロセスにおける窒素及びリンをそれぞれ除去するメカニズムを分けて説明する。
【００１０】
（ａ）窒素の除去
好気槽１２において、曝気装置９から供給される酸素を利用して、硝化菌はアンモニア性窒素（NH4-N）を亜硝酸性窒素（NO2-N）、硝酸性窒素（NO3-N）に酸化する。循環ポンプ１４により無酸素槽１１に送り込まれた亜硝酸性窒素（NO2-N）、硝酸性窒素（NO3-N）は、無酸素条件下で流入下水中の有機物を栄養源とする脱窒細菌による硝酸性呼吸あるいは亜硝酸性呼吸により、窒素ガス（N2）へと還元され、系外に除去される。
【００１１】
窒素除去反応を化学式で表現すると、硝化反応は、
NH4++2O2→NO2-+2H2O                         …（１）
NO2-+1/2O2→NO3-                            …（２）
となり、脱窒反応として、有機物としてメタノールが使われた場合の反応を記すと、
6NO3-+5CH3OH→3N2+5CO2+7H2O+6OH-             …（３）
となる。
【００１２】
（ｂ）リンの除去
曝気槽の前段に配置された嫌気槽１０で、活性汚泥中のリン蓄積細菌は、酢酸などの有機酸を体内に蓄積し、リン酸（PO4）を放出する。この過剰放出したリン酸態のリンを曝気槽の後段に配置された好気槽１２でリン蓄積細菌のリン過剰摂取作用を利用して、嫌気槽１０で放出された以上のリン酸態のリンを活性汚泥に吸収させることによりリンを除去する。
【００１３】
すなわち、この反応を進行させるためには、酢酸などの有機酸が必要となる。雨水流入時には有機酸濃度が薄くなり、リン蓄積菌が利用できる有機物が減少することから、リンの吐き出し反応が十分に行われなくなるため、後に続くリンの過剰摂取反応も不十分となる場合があり、生物学的リンの除去のみでは目標となる水質を得られない場合がある。
【００１４】
そこで、これを補填するためにポリ塩化アルミニウム、硫酸アルミニウム、硫酸鉄などの凝集剤を貯える凝集剤貯留槽を備え、これら凝集剤を注入してリン酸アルミニウムやリン酸鉄の形でリン成分を沈殿させることによりリンを除去する方法もある。この場合の化学式は次のように表現される。
【００１５】
Al3++3PO4-→Al(PO4)3                            …（４）
下水処理場では各系列の返送ポンプ、循環ポンプ、余剰汚泥引抜ポンプ、曝気装置を適正に運転し、返送流量、循環流量、余剰汚泥引抜量、曝気風量を適正な値に管理することにより、窒素、リン及び有機物がそれぞれの放流水質の規制値を超えないように運転する必要がある。
【００１６】
このうち曝気装置９は微生物による窒素、リン及び有機物を除去する際に必要となる溶存酸素を供給するもので、下水処理場の運転コストの４０〜６０％を占めるものである。この曝気装置９からの溶存酸素の供給量が少なすぎれば、水質が悪化する。一方、供給量が大きくなると運転コストがかかる。すなわち、この曝気装置を適正に制御することにより、水質の維持、運転コストの低減を達成することができる。
【００１７】
図１１及び図１２に示した従来の曝気風量制御装置は、各系列の好気槽に設置された溶存酸素濃度計２５、１２５、２２５の計測値を制御目標値設定器３１、１３１、２３１に設定された制御目標値となるよう曝気装置９、１０９、２０９をそれぞれ制御するように構成している（例えば、特許文献１参照。）。一方、図１３及び図１４に示したもう一つの曝気風量制御装置は、各系列の号好気槽に設置された１号アンモニア計２６，１２６，２２６の計測値を１号制御目標値設定器４１，１４１，１４２に設定された制御目標値となるよう曝気装置９、１０９、２０９をそれぞれ制御するように構成している（例えば、特許文献２参照。）。
【特許文献１】特開平１１−２４４８９４号公報
【特許文献２】特開２００３−２００１９０号公報
【発明の開示】
【発明が解決しようとする課題】
【００１８】
図１１及び図１２に示した曝気風量制御装置はアンモニア計と比較して安価で維持管理が容易な溶存酸素濃度計を利用しており、初期コストが安く、維持管理が容易である反面、溶存酸素という間接的な指標に基づいて制御を行っているため、放流水質を常に維持するためには高い溶存酸素目標値で運転する必要があり、曝気にかかる運転コストが嵩んでしまう。
【００１９】
一方、図１３及び図１４に示した曝気風量制御装置は、図１１及び図１２に示した装置と比較して、初期コストが高く、センサの維持管理が大変である。その反面、通常、有機物の除去、リンの吸収速度に比べ、硝化菌の硝化速度が遅いため、硝化に必要な酸素を供給すれば、有機物、リン及び窒素の除去に必要な風量を確保できるという考えに基づいて、アンモニア性窒素濃度を指標として、曝気風量の制御を行っているため、放流水質を維持しつつ、曝気にかかる運転コストを低減する運転が可能となる。
【００２０】
本発明は上記の課題を解決するためになされたもので、複数系列の高度処理プロセスを有する下水処理場において、溶存酸素濃度計を用いて溶存酸素を制御する曝気風量制御装置よりも曝気にかかる運転コストを低減することができ、かつ、各系列それぞれのアンモニア計を用いてアンモニア性窒素濃度を制御する曝気風量制御装置よりも初期コスト及び維持管理コストを低く抑えることのできる下水処理場の曝気風量制御装置を提供することを目的とする。
【課題を解決するための手段】
【００２１】
請求項１に係る発明は、
それぞれ曝気風量目標値に従って動作する曝気装置を有する好気槽を含み、同じ処理方式の複数系列の下水処理プロセスを備える下水処理場の曝気風量制御装置において、
全ての系列に流入する下水の流量が等しくなるように制御する流量制御手段と、
複数系列のうち、いずれか１つの系列の好気槽のアンモニア性窒素濃度を計測するアンモニア計と、
複数系列の全ての系列の好気槽の溶存酸素濃度を計測する溶存酸素濃度計と、
処理水のアンモニア性窒素濃度目標値を設定する第１の目標値設定手段と、
アンモニア計が設置されている系列の好気槽の溶存酸素濃度計による溶存酸素濃度計測値に基づいて、アンモニア計が設置されていない他の系列の好気槽の溶存酸素濃度目標値をそれぞれ設定する第２の目標値設定手段と、
アンモニア計が設置されている好気槽の曝気装置を、アンモニア性窒素濃度の計測値をアンモニア性窒素濃度目標値に近づける曝気風量目標値を演算し、アンモニア計が設置されていない好気槽の曝気装置を、それぞれ溶存酸素濃度の計測値を溶存酸素濃度目標値に近づける曝気風量目標値を演算するコントローラと、
を備えたことを特徴とする下水処理場の曝気風量制御装置。
【００２２】
請求項２に係る発明は、
それぞれ曝気風量目標値に従って動作する曝気装置を有する好気槽を含み、同じ処理方式の複数系列の下水処理プロセスを備える下水処理場の曝気風量制御装置において、
全ての系列に流入する下水の流量が等しくなるように制御する流量制御手段と、
複数系列のうち、いずれか１つの系列の好気槽のアンモニア性窒素濃度を計測するアンモニア計と、
処理水のアンモニア性窒素濃度目標値を設定する目標値設定手段と、
各系列毎に曝気装置の散気効率を入力する散気効率入力手段と
それぞれ入力された散気効率に基づいて、アンモニア計が設置されている系列の好気槽の曝気装置に対する、他の系列の好気槽の曝気装置それぞれの散気効率比を求める散気効率比演算手段と、
アンモニア計が設置されている好気槽の曝気装置を、アンモニア性窒素濃度の計測値をアンモニア性窒素濃度目標値に近づける曝気風量目標値を演算するコントローラと、
コントローラで演算された曝気風量目標値に、散気効率比を乗算してアンモニア計が設置されていない好気槽の曝気装置の曝気風量目標値を演算する曝気風量演算手段と、
を備えたことを特徴とする下水処理場の曝気風量制御装置。
【００２３】
請求項３に係る発明は、
それぞれ曝気風量目標値に従って動作する曝気装置を有する好気槽を含み、同じ処理方式の複数系列の下水処理プロセスを備える下水処理場の曝気風量制御装置において、
系列毎に流入する下水の流量を計測する流入流量計と、
複数系列のうち、いずれか１つの系列の好気槽のアンモニア性窒素濃度を計測するアンモニア計と、
処理水のアンモニア性窒素濃度目標値を設定する目標値設定手段と、
系列毎に曝気装置の散気効率を入力する散気効率入力手段と
それぞれ入力された散気効率に基づいて、アンモニア計が設置されている１つの系列の好気槽の曝気装置に対する、他の系列の好気槽の曝気装置それぞれの散気効率比を求める散気効率比演算手段と、
アンモニア計が設置されている好気槽の曝気装置を、アンモニア性窒素濃度の計測値をアンモニア性窒素濃度目標値に近づける曝気風量目標値を演算するコントローラと、
アンモニア計が設置されている好気槽を含む系列に流入する下水の流量と曝気装置の曝気風量から当該系列の空気倍率を演算する空気倍率演算手段と、
コントローラで演算された曝気風量目標値に空気倍率を乗算し、この乗算して得られた曝気風量目標値、入力された散気効率に散気効率比を乗算した値、及び、流入する下水の流量計測値に基づいて、アンモニア計が設置されていない好気槽の曝気装置の曝気風量目標値を演算する曝気風量演算手段と、
を備えたことを特徴とする下水処理場の曝気風量制御装置。
【００２４】
請求項４に係る発明は、請求項１乃至３のいずれか１項に記載の下水処理場の曝気風量制御装置において、
下水処理場に流入する下水の全流入量を計測する流入流量計と、
流入下水の全窒素濃度を計測する全窒素計と、
を備え、それぞれ計測された下水の全流入量及び全窒素濃度の両方もしくは、いずれか一方に基づいて、第１の目標値設定手段又は目標値設定手段が処理水のアンモニア性窒素濃度目標値を設定することを特徴とする。
【００２５】
請求項５に係る発明は、請求項１乃至４のいずれか１項に記載の下水処理場の曝気風量制御装置において、
すべての系列の溶存酸素濃度をそれぞれ計測する溶存酸素濃度計と、
溶存酸素濃度の上下限値を設定し、計測された各系列の溶存酸素濃度が上下限値を逸脱しないよう曝気風量を制御するリミッタ装置と、
を備えたことを特徴とする。
【発明の効果】
【００２６】
本発明は上記のように構成したことにより、複数系列の高度処理プロセスを有する下水処理場において、溶存酸素濃度計を用いて溶存酸素を制御する曝気風量制御装置よりも曝気にかかる運転コストを低減することができ、かつ、各系列それぞれのアンモニア計を用いてアンモニア性窒素濃度を制御する曝気風量制御装置よりも初期コスト及び維持管理コストを低く抑えることのできる下水処理場の曝気風量制御装置が提供される。
【発明を実施するための最良の形態】
【００２７】
以下、本発明を図面に示す好適な実施例に基づいて詳細に説明する。
【実施例１】
【００２８】
図１は本発明に係る曝気風量制御装置の第１実施例を適用する下水処理場の処理系統を、計測器の配置と併せて示した系統図であり、従来装置を示した図１１又は図１３と同一の要素には同一の符号を付してその説明を省略する、ここでは、各系列の好気槽の曝気装置を制御するために１号溶存酸素濃度計２５及びアンモニア計２６が設置され、詳細な構成説明を省略した系列２の２号好気槽（図示せず）に２号溶存酸素濃度計１２５が、系列３の３号好気槽（図示せず）に３号溶存酸素濃度計２２５がそれぞれ設置されている点が図１１又は図１３と構成を異にし、これ以外は、図１１又は図１３と同一に構成されている。なお、これら１号溶存酸素濃度計２５、アンモニア計２６、２号溶存酸素濃度計１２５及び３号溶存酸素濃度計２２５は下水の流れ方向に同等の位置に設置されている。
【００２９】
図２は上記の下水処理場に適用される曝気風量制御装置の第１実施例の構成を示すブロック図である。この装置は、系列１の１号好気槽１２のアンモニア性窒素濃度の目標値を設定する１号制御目標値設定器４１と、１号溶存酸素濃度計２５の計測値に基づいて系列２の２号好気槽の溶存酸素濃度目標値を演算する２号制御目標値演算器１３２と、１号溶存酸素濃度計２５の計測値に基づいて系列３の３号好気槽の溶存酸素濃度目標値を演算する２号制御目標値演算器２３２とを備え、さらに、アンモニア計２６によるアンモニア性窒素濃度の計測値が１号制御目標値設定器４１のアンモニア性窒素濃度の目標値に追随するように１号曝気装置９の曝気量を制御する１号アンモニアコントローラ４０と、２号溶存酸素濃度計１２５による溶存酸素濃度の計測値が２号制御目標値演算器１３２の制御目標値に追随するように２号曝気槽１０９の曝気量を制御する２号ＤＯコントローラ１３０と、３号溶存酸素濃度計２２５による溶存酸素濃度の計測値が３号制御目標値演算器２３２の制御目標値に追随するように３号曝気装置２０９を制御する３号ＤＯコントローラ２３０とを備え、これらが１つのコントローラを構成している。
【００３０】
この場合、１号溶存酸素濃度計２５は信号線２５ａによって２号制御目標値演算器１３２及び３号制御目標値演算器２３２の各入力端に接続されている。また、１号制御目標値設定器４１、２号制御目標値演算器１３２及び３号制御目標値演算器２３２の各出力端が信号線４１ａ，１３２ａ及び２３２ａによって１号アンモニアコントローラ４０、２号ＤＯコントローラ１３０及び３号ＤＯコントローラ２３０の各一方の入力端に接続され、１号アンモニア計２６、２号溶存酸素濃度計１２５及び３号溶存酸素濃度計２２５が信号線２６ａ，１２５ａ及び２２５ａによって１号アンモニアコントローラ４０、２号ＤＯコントローラ１３０及び３号ＤＯコントローラ２３０の各他方の入力端に接続されている。さらに、１号アンモニアコントローラ４０、２号ＤＯコントローラ１３０及び３号ＤＯコントローラ２３０の各出力端が信号線２６ｂ，１２５ｂ及び２２５ｂによって１号曝気装置９、２号曝気装置１０９及び３号曝気装置２０９に接続されている。
【００３１】
上記のように構成された第１実施例の動作について、特に、従来装置と構成を異にする部分を中心にして以下に説明する。下水処理場に流入する下水は水配管５０から１号流入ポンプ１、２号流入ポンプ１０１及び３号流入ポンプ２０１により、系列１，２，３に供給される。各系列に流入する流入量は等量となるように図示を省略した制御装置により１号流入ポンプ１、２号流入ポンプ１０１及び３号流入ポンプ２０１は制御される。１号好気槽１２に設置された１号アンモニア計２６の計測値は、信号線２６ａを介して、１号アンモニアコントローラ４０に伝送される。１号アンモニアコントローラ４０は、１号制御目標値設定器４１に設定されたアンモニア性窒素濃度目標値に従うように、例えば、（５），（６）式に示すようなＰＩコントローラにより１号曝気装置９の風量目標値を演算する。
【数１】
2005199115.tif 000003
【００３２】
ただし、
Qair1(t)：時刻ｔにおける1号曝気風量目標値(m3/min)
Qair01：１号曝気風量初期値(m3/min)
Kp：比例ゲイン(m6/g・min)
TI：積分定数(min)
△t：制御周期(min)
e(t)：偏差(mg/L)
SＶNH41(t):１号アンモニア性窒素濃度目標値(mg/L)
PV NH41 (t)：アンモニア計計測値(mg/L)
である。
【００３３】
１号曝気装置９は（５），（６）式で演算された風量目標値に従うように、風量調節弁の開度調整および曝気装置（ブロア）のインバータ制御により風量を調節する。また、この時の１号好気槽溶存酸素濃度計２５の計測値は信号線２５ａを介して、２号制御目標値演算器１３２、３号制御目標値演算器２３２に伝送される。
【００３４】
２号制御目標値演算器、３号制御目標値演算器は一定周期（５分〜３０分周期）で（７）式により溶存酸素計２５の計測値をフィルタリング処理した値を信号線１３２ａ、信号線２３２ａを介してそれぞれ、２号ＤＯコントローラ１３０、３号ＤＯコントローラ２３０に伝送する。
【数２】
2005199115.tif 000004
【００３５】
ただし
PVfO2(t)：時刻tにおける1号溶存酸素濃度計フィルタリング値
PV O2 (t)：時刻tにおける1号溶存酸素濃度計計測値
n：整数
である。
【００３６】
２号ＤＯコントローラ１３０、３号ＤＯコントローラ２３０は２号制御目標値演算器、３号制御目標値演算器からの出力値に従うように、例えば（８），（９）式に示すようなＰＩコントローラによりそれぞれ２号曝気装置１０９、３号曝気装置２０９の風量目標値を演算する。
【数３】
2005199115.tif 000005
【００３７】
ただし、
Qairn(t)：時刻ｔにおけるn号曝気風量目標値(m3/min)
Qair0n：n号曝気風量初期値(m3/min)
Kp：比例ゲイン(m6/g・min)
TI：積分定数(min)
△ｔ：制御周期(min)
e(t)：偏差(mg/L)
SVO2n(t):n号溶存酸素濃度目標値(mg/L)
PV O2n (t)：n号溶存酸素濃度計計測値(mg/L)（ｎ＝2、3）
である。
【００３８】
２号曝気装置１０９、３号曝気装置２０９は、それぞれ式（８），（９）式で演算された風量目標値に従うように、風量調節弁の開度調整および曝気装置（ブロア）のインバータ制御により風量を調節する。
【００３９】
かくして、第１実施例によれば、図１３及び図１４に示した装置と比較して、初期コストが高く、維持管理が煩雑なアンモニア計の数を減らし、系列２及び系列３の２号、３号好気槽の風量を可変のＤＯ目標値により制御を行うので、図１１及び図１２に示した装置と比較して風量削減効果を期待できる。
【００４０】
また、各系列のＤＯが同等となるように制御を行うので、曝気装置の散気効率が異なる場合にも適用可能である。特に、池を増設する場合には散気効率の異なる曝気装置を設置することがあり、本制御方式が有効となる。
【実施例２】
【００４１】
図３は本発明に係る曝気風量制御装置の第２実施例を適用する下水処理場の処理系統を、計測器の配置と併せて示した系統図であり、図中、図１と同一の要素には同一の符号を付してその説明を省略する。ここでは、各系列の好気槽の曝気装置を制御するために系列１の１号好気槽１２にアンモニア計２６のみが設置され、系列１，２，３のいずれの好気槽にも溶存酸素濃度計が設置されていない点で、図１と構成を異にしている。
【００４２】
図４は第２実施例に係る曝気風量制御装置の構成を示すブロック図である。ここでは、１号アンモニア計２６が信号線２６ａにより１号アンモニアコントローラ４０の一方の入力端に接続され、１号制御目標値設定器４１が信号線４１ａにより１号アンモニアコントローラ４０の他方の入力端に接続され、この１号アンモニアコントローラ４０の出力端が信号線２６ｂによって１号曝気装置９に接続されている。また、系列１，２，３の各散気効率を予め設定する１号曝気装置散気効率入力部４３、２号曝気装置散気効率入力部１４３及び３号曝気装置散気効率入力部２４３が新たに付加され、さらに、１号曝気装置散気効率入力部４３に対して２号曝気装置１０９の散気効率比を演算する１号対２号散気効率比演算部１４４と、１号曝気装置散気効率入力部４３に対して３号曝気装置２０９の散気効率比を演算する１号対３号散気効率比演算部２４４とが設けられている。さらに、１号アンモニアコントローラ４０から出力される曝気風量に１号対２号散気効率比演算部１４４の出力を乗算して２号曝気装置１０９の曝気風量を演算する２号曝気風量演算部１４５と、１号アンモニアコントローラ４０から出力される曝気風量に１号対３号散気効率比演算部２４４の出力を乗算して３号曝気装置２０９の曝気風量を演算する３号曝気風量演算部２４５とが設けられ、これらの出力端がそれぞれ信号線によって２号曝気装置１０９及び３号曝気装置２０９に接続されている。
【００４３】
上記のように構成された第２実施例の動作について以下に説明する。下水処理場に流入する下水は水配管５０から１号流入ポンプ１、２号流入ポンプ１０１、３号流入ポンプ２０１により、系列１から系列３に供給される。各系列に流入する流入量は等量となるように図示を省略した制御手段により１号〜３号流入ポンプは制御される。１号好気槽１２に設置されたアンモニア計２６の計測値は、信号線２６ａにより１号アンモニアコントローラ４０に伝送される。１号アンモニアコントローラ４０は、１号制御目標値設定器４１に設定されたアンモニア性窒素濃度目標値に従うようたとえば（１０），（１１）式に示すようなＰＩコントローラにより１号曝気装置９の風量目標値を演算する。
【数４】
2005199115.tif 000006
【００４４】
ただし、
Qair1(t)：時刻ｔにおける1号曝気風量目標値(m3/min)
Qair01：1号曝気風量初期値(m3/min)
Kp：比例ゲイン(m6/g・min)
TI：積分定数(min)
△ｔ：制御周期(min)
e(t)：偏差(mg/L)
SVNH41(t):1号アンモニア性窒素濃度目標値(mg/L)
PV NH41 (t)：アンモニア計計測値(mg/L)
である。
【００４５】
１号曝気装置９は（１０），（１１）式で演算された曝気風量目標値に従うように、風量調節弁の開度調整および曝気装置（ブロア）のインバータ制御により風量を調節する。また、１号２号散気効率比演算部１４４、１号３号散気効率比演算部では入力された散気効率を基に（１２），（１３）式に示す演算によりアンモニア計による制御を行っている系列（系列１）とその他の系列の散気効率比を演算する。
【００４６】
C12＝Kl2/Kl1                                      …（１２）
C13＝Kl3/Kl1                                      …（１３）
ただし、
C12:1号2号散気効率比
C13:1号３号散気効率比
Kl1:1号曝気装置散気効率
Kl2:2号曝気装置散気効率
Kl3:3号曝気装置散気効率
である。
【００４７】
ここで演算された散気効率比は（１０），（１１）式により演算される時刻ｔにおける１号曝気風量目標値とともに、それぞれ２号曝気風量演算部、３号曝気風量演算部に伝送され、（１４），（１５）式の演算により曝気風量目標値が演算される。
【００４８】
Qair2(t)＝C12・Qair1(t)                            …（１４）
Qair3(t)＝C13・Qair1(t)                            …（１５）
ただし、
Qairn(t)：時刻ｔにおけるn号曝気風量目標値(m3/min)（n=1〜3）
C12:1号2号散気効率比
C13:1号3号散気効率比
である。
【００４９】
２号曝気装置１０９、３号曝気装置２０９は、それぞれ（１４），（１５）式で演算された風量目標値に従うように、風量調節弁の開度調整および曝気装置（ブロア）のインバータ制御により風量を調節する。
【００５０】
かくして、第２実施例によれば、予め正確な散気効率を入力部に設定しておく必要があるが、図１３及び図１４に示した従来の曝気風量制御装置に比べて、初期コストが高く、維持管理が煩雑なアンモニア計の数を減らし、系列２の２号曝気装置１０９及び系列３の３号曝気装置２０９の風量を制御することが可能となる。また、実施例１と異なり制御に溶存酸素濃度計を利用せず、アンモニア計のみにより制御するので、溶存酸素濃度計の異常による制御異常がなく、安定性が高められる。
【実施例３】
【００５１】
図５は本発明に係る曝気風量制御装置の第３実施例を適用する下水処理場の処理系統を、計測器の配置と併せて示した系統図であり、図中、図３と同一の要素には同一の符号を付してその説明を省略する。ここでは、系列１の１号流入ポンプ１の汚水送出側に１号流入流量計５が、系列２の２号流入ポンプ１０１の汚水送出側に２号流入流量計１０５が、系列３の３号流入ポンプ２０１の汚水流出側に３号流入流量計２０５がそれぞれ設けられている点で図３と構成を異にしている。
【００５２】
図６は第３実施例に係る曝気風量制御装置の構成を示すブロック図である。図中、第２実施例を示す図４と同一の要素には同一の符号を付してその説明を省略する。図４に示す第２実施例においては、１号アンモニアコントローラ４０の曝気風量目標値を一方入力、１号流入流量計５の計測値を他方入力として、１号曝気装置９の曝気風量の倍率を演算する１号空気倍率演算部２４６を新たに設け、２号曝気風量演算部１４５が１号対２号散気効率比演算部１４４、２号流入流量計１０５及び１号空気倍率演算部２４６の各出力に基づいて２号曝気装置１０９に対する曝気風量目標値を演算し、３号曝気風量演算部２４５が１号対３号散気効率比演算部２４４、３号流入流量計２０５及び１号空気倍率演算部２４６の各出力に基づいて３号曝気装置２０９に対する曝気風量目標値を演算するように構成した点が図４に示した第２の実施形態と構成を異にし、これ以外は図４と同一に構成されている。
【００５３】
上記のように構成された第３実施例の動作について以下に説明する。下水処理場に流入する下水は水配管５０から１号流入ポンプ１、２号流入ポンプ１０１、３号流入ポンプ２０１により、系列１から系列３に供給される。１号好気槽１２に設置されたアンモニア計２６の計測値は、信号線２６ａにより１号アンモニアコントローラ４０に伝送される。１号アンモニアコントローラ４０は、１号制御目標値設定器４１に設定されたアンモニア性窒素濃度目標値に従うようたとえば（１６），（１７）式に示すようなＰＩコントローラにより１号曝気装置９の風量目標値を演算する。
【数５】
2005199115.tif 000007
【００５４】
だだし、
Qair1(t)：時刻ｔにおける1号曝気風量目標値(m3/min)
Qair01：1号曝気風量初期値(m3/min)
Kp：比例ゲイン(m6/g・min)
TI：積分定数(min)
△ｔ：制御周期(min)
e(t)：偏差(mg/L)
SVNH41(t):1号アンモニア性窒素濃度目標値(mg/L)
PV NH41 (t)：アンモニア計計測値(mg/L)
である。
【００５５】
１号曝気装置９は（１６），（１７）式で演算された曝気風量目標値にしたがうように、風量調節弁の開度調整および曝気装置（ブロア）のインバータ制御により風量を調節する。
【００５６】
また、１号２号散気効率比演算部１４４、１号３号散気効率比演算部では入力された散気効率を基に（１８），（１９）式に示す演算によりアンモニア計による制御を行っている系列（系列１）とその他の系列の散気効率比を演算する。
【００５７】
C12＝Kl2/Kl1                                      …（１８）
C13＝Kl3/Kl1                                      …（１９）
ただし、
C12:1号2号散気効率比
C13:1号３号散気効率比
Kl1:1号曝気装置散気効率
Kl2:2号曝気装置散気効率
Kl3:3号曝気装置散気効率
である。
【００５８】
一方、１号空気倍率演算部では１号流入流量計５の計測値と（１６），（１７）式より演算される１号曝気風量目標値から（２０）式により１号空気倍率が演算される。
【００５９】
A1(t)＝Qair1(t)/Qin1(t)                            …（２０）
ただし、
A1(t):1号空気倍率演算値
Qair1(t)：時刻ｔにおける1号曝気風量目標値(m3/min)
Qin１（ｔ）：1号流入流量(m3/min)
である。
【００６０】
ここで演算された１号空気倍率は（１８），（１９）式により演算される１号２号散気効率比、１号３号散気効率比、２号流入流量計１０５、３号流入流量計２０５の計測値とともにそれぞれ２号曝気風量演算部、３号曝気風量演算部に伝送され、式（２１），（２２）の演算式により曝気風量目標値が演算される。
【００６１】
Qair2(t)＝C12・Ａ1(t)・Qin2(t)                      …（２１）
Qair3(t)＝C13・Ａ1(t)・Qin3(t)                      …（２２）
ただし、
Qair2(t)：時刻ｔにおける２号曝気風量目標値(m3/min)
Qair3(t)：時刻ｔにおける３号曝気風量目標値(m3/min)
C12:1号2号散気効率比
C13:1号3号散気効率比
A1(t)：１号空気倍率演算値
Qin2(t)：時刻ｔにおける２号流入流量(m3/min)
Qin3(t)：時刻ｔにおける３号流入流量(m3/min)
である。
【００６２】
２号曝気装置１０９、３号曝気装置２０９は、それぞれ（２１），（２２）式で演算された風量目標値に従うように、風量調節弁の開度調整および曝気装置（ブロア）のインバータ制御により風量を調節する。
【００６３】
かくして、第３実施例によれば、図１３及び図１４に示した従来の曝気風量制御装置に比べて、初期コストが高く、維持管理が煩雑なアンモニア計の数を減らし、系列２の２号曝気装置１０９及び系列３の３号曝気装置２０９の風量を制御することが可能となる。また、実施例１と異なり制御に溶存酸素濃度計を利用せず、アンモニア計のみにより制御するので、溶存酸素濃度計の異常による制御異常がなく、安定性が高められる。さらに、第１実施例及び第２実施例と比較して、各系列に流入する下水量が異なる場合でも制御することが可能になるという新たな効果も得られる。
【実施例４】
【００６４】
図７は本発明に係る曝気風量制御装置の第４実施例を適用する下水処理場の処理系統を、計測器の配置と併せて示した系統図であり、図中、図１と同一の要素には同一の符号を付してその説明を省略する。ここでは、下水を１号流入ポンプ１、２号流入ポンプ１０１及び３号流入ポンプ２０１によって分流させる元の水配管に、流入流量計３と、流入する窒素を計測する流入全窒素計４とを設け、流入流量計計測値と流入全窒素計計測値とを、例えば、図示を省略した乗算手段で乗算し、得られた窒素負荷量情報を１号アンモニアコントローラ４０（図１参照）に取り込み、例えば、（２３），（２４），（２５）式の演算により１号曝気装置の風量目標値を演算をする。このように、窒素負荷量情報を用いて曝気装置の風量目標値を演算することは、実施例１に限定して適用されるものではなく、実施例２及び実施例３のいずれにも適用可能である。
【数６】
2005199115.tif 000008
【００６５】
ただし、
Qair1(t)：時刻ｔにおける1号曝気風量目標値(m3/min)
Aair1(t):1号窒素負荷倍率係数演算値（m3/g）
TN(t)：全窒素計計測値（mg/L）
Qin(t)：流入流量計計測値（m3/min）
Aair01：1号窒素負荷空気倍率係数初期値
Kp：比例ゲイン(m6/g2)
TI：積分定数(min)
△ｔ：制御周期(min)
e(t)：偏差(mg/L)
SVNH41(t):1号アンモニア性窒素濃度目標値(mg/L)
PV NH41 (t)：アンモニア計計測値(mg/L)
である。
【００６６】
なお、流入全窒素の計測は、系列１，２，３の各最初沈殿地の前段又は後段の配管に設けて、各計測値を加算しても良い。さらに、実施例１〜３においては、流入流量は各池に均等になるように制御されているので、本実施例のように全体の流量を計測する流量計でなくとも、各系列の流量を計測するだけでも流入する全窒素を計測することができる。
【００６７】
かくして、第４実施例によれば、曝気にかかる運転コストを低減することができ、かつ、初期コスト及び維持管理コストを低く抑えることのできるという効果の他に、流入する下水の窒素負荷量情報を取り込むため、アンモニア性窒素濃度制御の目標値追従性が高まるという新たな効果も得られる。
【実施例５】
【００６８】
図８は本発明に係る曝気風量制御装置の第５実施例を適用する下水処理場の処理系統を、計測器の配置と併せて示した系統図であり、図中、第３実施例を適用する図５と同一の要素には同一の符号を付してその説明を省略する。ここでは、系列１の１号好気槽１２に１号アンモニア計２６の他に１号溶存酸素濃度計２５を設け、系列２の図示を省略した２号好気槽に２号溶存酸素濃度計１２５を、系列３の図示を省略した３号好気槽に３号溶存酸素濃度計２２５をそれぞれ設けた点が図５と構成を異にし、これ以外は図５と全く同様に構成されている。
【００６９】
図９は第５実施例に係る曝気風量制御装置の構成を示すブロック図である。図中、第３実施例を示す図６と同一の要素には同一の符号を付してその説明を省略する。この実施例は図６に示した第３の実施例を構成する１号アンモニアコントローラ４０、２号曝気風量演算部１４５及び３号曝気風量演算部２４５の出力段に、１号ＤＯリミッタ装置４７、２号ＤＯリミッタ装置１４７及び３号ＤＯリミッタ装置２４７を設けた点が図６と構成を異にし、これ以外は図６と全く同様に構成されている。なお、１号ＤＯリミッタ装置４７、２号ＤＯリミッタ装置１４７及び３号ＤＯリミッタ装置２４７はそれぞれ１号溶存酸素濃度計２５、２号溶存酸素濃度計１２５および３号溶存酸素濃度計２２５の計測値に基づいて、各系列の曝気装置の風量目標値に制限を加えるものである。
【００７０】
上記のように構成された第５実施例の動作について以下に説明する。１号ＤＯリミッタ装置４７、２号ＤＯリミッタ装置１４７及び３号ＤＯリミッタ装置２４７には溶存酸素濃度の下限値と上限値が設定される。１号溶存酸素濃度計２５、２号溶存酸素濃度計１２５及び３号溶存酸素濃度計２２５の計測値がそれぞれ設定された上下限値の間の場合は第３の実施例のとおりに動作する。しかしながら、１号溶存酸素濃度計２５、２号溶存酸素濃度計１２５及び３号溶存酸素濃度計２２５の計測値がそれぞれ設定された上下限値を逸脱した場合には、（２６），（２７）式及び（２９），（３０）式に示すようにその下限値もしくは上限値を目標値とした溶存酸素濃度一定制御に切り替わりＤＯがその上下限を逸脱しないように１号ＤＯリミッタ装置４７、２号ＤＯリミッタ装置１４７及び３号ＤＯリミッタ装置２４７が動作する。ＤＯリミッタ装置の演算式を（２６）〜（３０）式に示す。
【数７】
2005199115.tif 000009
【００７１】
ただし、
Q´airn(t)：時刻ｔにおけるn号曝気風量目標出力値(m3/min)
Q´air0n：n号曝気風量初期値(m3/min)、
Qairn(t)：時刻ｔにおけるn号曝気風量目標DOリミッタ装置入力値(m3/min)
Kp：比例ゲイン(m6/g・min)
TI：積分定数(min)
△ｔ：制御周期(min)
e(t)：偏差(mg/L)
DOmin:溶存酸素濃度下限値(mg/L)
DOmax:溶存酸素濃度上限値(mg/L)
PV O2n (t)：n号溶存酸素濃度計計測値(mg/L)（ｎ＝1〜3）
である。
【００７２】
かくして、第５実施例によれば、溶存酸素濃度が下限値又は上限値を超えようとする場合、下限値又は上限値を目標値とする溶存酸素濃度一定制御に切り替えられ、処理水質を一定の範囲に維持することができる。
【００７３】
なお、上記の各実施形態は下水水処理場の処理系統がＡ２０プロセスを備えるものに適用したが、本発明はこれに適用を限定されず、標準活性汚泥プロセス、循環式硝化脱窒プロセス、ＡＯプロセス、担体投入型プロセス、ステップ流入プロセスなど曝気を行う下水処理プロセスであればどのような処理系統でもよい。
【００７４】
また、系列数は実施例のように３系列に限らず、２系列以上であれば何系列でも適用することができる。
【００７５】
さらに、曝気装置は上記の実施例のように、各系列に独立したものでなくとも、一つの曝気装置から複数の系列に空気を供給する装置で、その配管上の空気調整弁の制御を行い、曝気風量を調整するように構成してもよい。
【００７６】
さらにまた、アンモニア計の設置位置は曝気を行っている好気槽のどの部分であってもよい。
【図面の簡単な説明】
【００７７】
【図１】本発明に係る曝気風量制御装置の第１実施例を適用する下水処理場の処理系統を、計測器の配置と併せて示した系統図。
【図２】本発明に係る曝気風量制御装置の第１実施例の構成を示すブロック図。
【図３】本発明に係る曝気風量制御装置の第２実施例を適用する下水処理場の処理系統を、計測器の配置と併せて示した系統図。
【図４】本発明に係る曝気風量制御装置の第２実施例の構成を示すブロック図。
【図５】本発明に係る曝気風量制御装置の第３実施例を適用する下水処理場の処理系統を、計測器の配置と併せて示した系統図。
【図６】本発明に係る曝気風量制御装置の第３実施例の構成を示すブロック図。
【図７】本発明に係る曝気風量制御装置の第４実施例として、これを適用する下水処理場の処理系統を、計測器の配置と併せて示した系統図。
【図８】本発明に係る曝気風量制御装置の第５実施例を適用する下水処理場の処理系統を、計測器の配置と併せて示した系統図。
【図９】本発明に係る曝気風量制御装置の第５実施例の構成を示すブロック図。
【図１０】有機物の他に窒素、リンをも除去する下水処理場の系統図。
【図１１】図１０に示した下水処理場に適用される従来の曝気風量制御装置の計測器の配置を、処理系統と併せて示した系統図。
【図１２】図１０の計測器を用いる従来の曝気風量制御装置の構成を示すブロック図。
【図１３】図１０に示した下水処理場に適用される従来のもう１つの曝気風量制御装置の計測器の配置を、処理系統と併せて示した系統図。
【図１４】図１３の計測器を用いる従来のもう１つの曝気風量制御装置の構成を示すブロック図。
【符号の説明】
【００７８】
１  １号流入ポンプ
２  １号最初沈殿池
３  流入流量計
４  流入全窒素計
９  １号曝気装置
１０  １号嫌気槽
１１  １号無酸素槽
１２  １号好気槽
１３  １号最終沈殿池
１４  １号循環ポンプ
１５  １号返送ポンプ
１７  １号余剰ポンプ
１８  １号初沈引抜ポンプ
２５  １号溶存酸素濃度計
１２５  ２号溶存酸素濃度計
２２５  ３号溶存酸素濃度計
２６  アンモニア計
１０１  ２号流入ポンプ
２０１  ３号流入ポンプ
１０９  ２号曝気装置
２０９  ３号曝気装置
４０  １号アンモニアコントローラ、
１３０  ２号ＤＯコントローラ
２３０  ３号ＤＯコントローラ
４３  １号散気効率入力器
１４３  ２号散気効率入力器
２４３３号散気効率入力器
１４４  １号２号散気効率演算部
２４４  １号３号散気効率演算部
４６  １号空気倍率演算部
１４５  ２号曝気風量演算部
２４５  ３号曝気風量演算部
４７  １号ＤＯリミッタ装置
１４７  ２号ＤＯリミッタ装置
２４７  ３号ＤＯリミッタ装置
【図１】
2005199115.tif 000010
【図２】
2005199115.tif 000011
【図３】
2005199115.tif 000012
【図４】
2005199115.tif 000013
【図５】
2005199115.tif 000014
【図６】
2005199115.tif 000015
【図７】
2005199115.tif 000016
【図８】
2005199115.tif 000017
【図９】
2005199115.tif 000018
【図１０】
2005199115.tif 000019
【図１１】
2005199115.tif 000020
【図１２】
2005199115.tif 000021
【図１３】
2005199115.tif 000022
【図１４】
2005199115.tif 000023